(57)【要約】【課題】ガスの気化熱によって温度が低下したガスタンクをヒーターによって加温でき、ガスタンク内のガス圧の低下を抑制でき、玩具ガス銃の作動が鈍くなったり、作動しなくなったり、弾の命中精度が悪くなる等の問題点を解消でき、外観上の体裁が良く、構成簡素で、小型コンパクトで、取扱い易く、量産に適し、低廉で、経済的なガス圧低下防止装置を提供する。【解決手段】玩具ガス銃に於いて、ガスタンク６の一部に接触するヒーター１と、ヒーター１への電流供給源となる電源２と、ヒーター１への電流の供給、遮断が可能なスイッチ３とを備え、スイッチ３を介して電源２の電流をヒーター１に供給し、ガスの気化熱によって温度が低下したガスタンク６を直接加温できるよう構成する。【選択図】図２
0003160655.tif 000002
【実用新案登録請求の範囲】
【請求項１】
ガスタンク内で気化したガスを放出することにより弾を発射できるように構成された玩具ガス銃に於いて、ガスタンクの一部に接触するヒーターと、このヒーターへの電流供給源となる電源と、ヒーターへの電流の供給、遮断が可能なスイッチとを備え、スイッチを介して電源の電流をヒーターに供給することにより、ガスの気化熱によって温度が低下したガスタンクを直接加温できるように構成したことを特徴とする玩具ガス銃に於けるガス圧低下防止装置。
【請求項２】
前記ヒーターをフィルム状に形成し、このヒーターをガスタンクに接着したことを特徴とする請求項１記載の玩具ガス銃に於けるガス圧低下防止装置。
【請求項３】
銃本体に着脱自在に装着されるマガジンに内装したガスタンク部分に、グリップに内装したヒーターが接触するように構成したことを特徴とする請求項１記載の玩具ガス銃に於けるガス圧低下防止装置。
【考案の詳細な説明】
【技術分野】
【０００１】
本考案は、予め注入された液化ガスがガスタンク内で気化され、この気化したガスをガスタンク外に瞬時に放出すると共に、この気化したガスの噴出圧力を利用して球形の弾（所謂ＢＢ弾）を発射できるように構成された玩具ガス銃に於いて、ガスの気化熱によって温度が低下したガスタンクを加温できるようにすることで、温度の低下によるガスタンク内のガス圧の低下を少しでも抑制できるように工夫した玩具ガス銃に於けるガス圧低下防止装置に関するものである。
【背景技術】
【０００２】
従来、この種の玩具ガス銃で使用可能となっているガス（例えば、フロン１３４ａ）は、低温下でのガス膨張が少なく、冬季等の使用時に於いて玩具ガス銃の作動が鈍くなったり、或いは、作動しなくなる等の現象が起こる虞があった。
そのため、特許文献１に示すような玩具ガス銃用弾倉又は稼動用ガス貯蔵庫保持暖袋が提案されるようになった。これは、玩具の銃において、主に稼動に際しガスを使用又は必要とするものの弾倉やその稼動用のガスを蓄える構造を有する貯蔵庫を保持又は保護するための袋状の構造もしくはそれに準ずる構造を有する手段を採用したものである。すなわち、袋状に形成したものの中に弾倉等を入れておき、外気による低温化を防ぐというような発想のものである。
【先行技術文献】
【特許文献】
【０００３】
【特許文献１】実用新案登録第３１２７４６６号公報
【考案の概要】
【考案が解決しようとする課題】
【０００４】
ところが、従来の玩具ガス銃にあっては、例えば、短時間で弾を連続発射させたりすると、液化ガスが気化するときの気化熱によってガス周り（ガスタンク）の温度をかなり低下させてしまうようになる。すると、ガスの噴出圧力が極端に低下してしまい、玩具ガス銃の作動が鈍くなったり、作動不能となったり、或いは、弾の命中精度が悪くなる等の問題点もあり、このような問題点は前述の如き手段では、到底解消できないものであった。
【課題を解決するための手段】
【０００５】
そこで、本考案は、前述の如き問題点等を解消すると共に、外観上の体裁を損なうことなく設けられ、しかも、構成が簡素で、小型コンパクトで、取扱い易く、量産に適し、低廉で、経済的なものとなるようにすべく案出されたもので、請求項１記載の玩具ガス銃に於けるガス圧低下防止装置にあっては、ガスタンク６内で気化したガスを放出することにより弾を発射できるように構成された玩具ガス銃に於いて、ガスタンク６の一部に接触するヒーター１と、このヒーター１への電流供給源となる電源２と、ヒーター１への電流の供給、遮断が可能なスイッチ３とを備え、スイッチ３を介して電源２の電流をヒーター１に供給することにより、ガスの気化熱によって温度が低下したガスタンク６を直接加温できるように構成する手段を採用した。
【０００６】
また、請求項２記載の玩具ガス銃に於けるガス圧低下防止装置にあっては、前記ヒーター１をフィルム状に形成し、このヒーター１をガスタンク６に接着する手段を採用した。
【０００７】
更に、請求項３記載の玩具ガス銃に於けるガス圧低下防止装置にあっては、銃本体１５に着脱自在に装着されるマガジンに内装したガスタンク６部分に、グリップ１７に内装したヒーター１が接触するように構成する手段を採用した。
【考案の効果】
【０００８】
従って、請求項１の玩具ガス銃に於けるガス圧低下防止装置によれば、ガスの気化熱によって温度が低下したガスタンク６をヒーター１によって加温できるようになり、温度の低下によるガスタンク６内のガス圧の低下を抑制できるようになる。
すなわち、冬季等の使用時に於いて玩具ガス銃の作動が鈍くなったり、或いは、作動しなくなる等の問題点を解消できるようになる。
更に、短時間で弾を連続発射させたりして、液化ガスが気化するときの気化熱によってガス周り（ガスタンク６）の温度をかなり低下させたときにも利用でき、ガスの噴出圧力を極端に低下させることがなくなり、ひいては、玩具ガス銃の作動が鈍くなったり、作動不能となったり、或いは、弾の命中精度が悪くなる等の問題点等も解消できるようになる。
しかも、構成が簡素で、小型コンパクトで、取扱い易く、量産に適し、低廉で、経済的なガス圧低下防止装置となる。
【０００９】
また、請求項２の玩具ガス銃に於けるガス圧低下防止装置によれば、より小型コンパクトに構成できるようになり、玩具ガス銃への組み込みがより容易となる。加えて、玩具ガス銃の機構部分に干渉することなく設けられるようになると共に、玩具ガス銃の外観上の体裁を損なわないガス圧低下防止装置となる。
【００１０】
更に、請求項３の玩具ガス銃に於けるガス圧低下防止装置によれば、銃本体１５に着脱自在に装着したマガジンにガスタンク６が内装されたタイプのものであっても、ガスタンク６をヒーター１によって確実に加温できるようになり、温度の低下によるガスタンク６内のガス圧の低下を確実に抑制できるようになる。
しかも、玩具ガス銃への組み込みが簡単で、玩具ガス銃の外観上の体裁を損なわないガス圧低下防止装置となる。
【図面の簡単な説明】
【００１１】
【図１】本考案の実施例を示すもので、ガス圧低下防止装置を組み込んだ玩具ガス銃の一部切欠部分正面図である。
【図２】本考案の実施例を示すもので、ガス圧低下防止装置を含む玩具ガス銃の部分分解斜視図である。
【図３】本考案の実施例を示すもので、ガス圧低下防止装置を含む玩具ガス銃の部分分解斜視図である。
【図４】本考案の他の実施例を示すもので、ガス圧低下防止装置を組み込んだ玩具ガス銃の正面図及び分離させたグリップの裏面図である。
【図５】本考案の他の実施例を示すもので、ガス圧低下防止装置を組み込んだ玩具ガス銃の斜視図である。
【図６】本考案の他の実施例を示すもので、ガス圧低下防止装置を含む玩具ガス銃の分解斜視図である。
【図７】本考案の他の実施例を示すもので、ガス圧低下防止装置部分の分解斜視図である。
【考案を実施するための形態】
【００１２】
以下、本考案を説明すると、次の通りである。
本考案は、予め注入された液化ガスがガスタンク６内で気化され、この気化したガスをガスタンク６外に瞬時に放出すると共に、この気化したガスの噴出圧力を利用して球形の弾（所謂ＢＢ弾）を発射できるように構成された玩具ガス銃に於いて、ガスの気化熱によって温度が低下したガスタンク６を加温できるようにすることで、温度の低下によるガスタンク６内のガス圧の低下を少しでも抑制できるようにした玩具ガス銃に於けるガス圧低下防止装置に係るものである。
具体的には、ガスタンク６の一部に接触するヒーター１と、このヒーター１への電流供給源となる電源２と、ヒーター１への電流の供給、遮断が可能なスイッチ３とを備えたものである。
そして、スイッチ３を介して電源２の電流をヒーター１に供給することにより、ガスの気化熱によって温度が低下したガスタンク６を直接加温できるように構成して、前記課題を達成する。
【実施例１】
【００１３】
先ず、図１乃至図３に示すガス圧低下防止装置は、銃本体１０と銃床１１とを備えたライフル型の玩具ガス銃に内装されるもので、銃本体１０に固定されているガスタンク６の一部（例えば、液化ガスが気化するガス室に近いガスタンク６の下面部分）に接触せしめられるヒーター１と、銃床１１内のガスタンク６前方に組み込まれる電源２と、この電源２からヒーター１への電流の供給、遮断が可能なスイッチ３と、電源２の電流をヒーター１に供給するコード４とからなり、スイッチ３及びコード４を介して電源２の電流をヒーター１に供給することにより、ヒーター１の温度が上がって、ガスの気化熱によって温度が低下したガスタンク６を直接加温できるように構成されたものである。
【００１４】
そして、図１乃至図３に示すヒーター１は、例えば、矩形フィルム状に形成され、ガスタンク６に直に接着されるようになる。
【００１５】
また、図１乃至図３に示す電源２は、例えば、充電式の棒状タイプのものが利用され、銃床１１内に収まるように形成されている。
【００１６】
また、図１乃至図３に示すスイッチ３は、例えば、前記電源２の基端がわ下面に装着され、その一部が銃床１１下面に穿設したスイッチ孔１２に臨むように配置されており、銃床１１の外部から手指で押圧操作できるように構成してある。すなわち、このスイッチ３は、玩具ガス銃の外観上の体裁を損なわないように形成されている。
【００１７】
図１乃至図３に示すコード４は、例えば、フレキシブルな通常の樹脂被覆コードが利用され、玩具ガス銃の作動部分に影響を与えることなく、ヒーター１と電源２とを確実に、且つ無理なく配線できるものが採用されている。
【実施例２】
【００１８】
また、図４乃至図７に示すガス圧低下防止装置は、銃本体１５と、この銃本体１５のフレーム１６の握り部分に装着されるグリップ１７と、銃本体１５の握り部分内に下方から着脱自在に装着されるマガジンとを備えた拳銃型の玩具ガス銃に内装されるもので、グリップ１７の裏面がわに固定されるハウジング５と、このハウジング５に固定されるヒーター１と、ハウジング５に内装される電源２と、ハウジング５の下端部に設けられるスイッチ３とからなり、スイッチ３を介して電源２の電流をヒーター１に供給することにより、ヒーター１の温度が上がって、ガスの気化熱によって温度が低下したマガジンに内蔵されたガスタンク６を加温できるように構成されたものである。
【００１９】
そして、図４乃至図７に示すヒーター１は、例えば、薄板円形状に形成され、ハウジング５の裏面がわに装着されている。
【００２０】
また、図４乃至図７に示す電源２は、例えば、ボタン型のものが複数（或いは、一つでも良い。）利用され、ハウジング５に内装できるように形成されている。
【００２１】
また、図４乃至図７に示すスイッチ３は、例えば、ハウジング５の下端部分に装着されており、その先端部分がグリップ１７の下部に凹設した切欠部分から外部に露出するように形成されており、グリップ１７の外部から手指で押圧操作できるように構成してある。すなわち、このスイッチ３は、玩具ガス銃の外観上の体裁を損なわないように形成されている。
【００２２】
図４乃至図７に示すハウジング５は、例えば、適宜合成樹脂材等によって構成されており、グリップ１７の裏面がわに収まるように形成されている。
【００２３】
図４乃至図７に示すガスタンク６は、マガジン内に設けられており、マガジンを玩具ガス銃に装着したときに、ハウジング５に設けたヒーター１が、フレーム１６に穿設した刳り貫き孔１８を介してガスタンク６（マガジン）に接触して、加温できるように形成されている。
【００２４】
本考案は、以上に述べた実施形態に限られるものではなく、考案の要旨を逸脱しない範囲内で各種の変更が可能なものである。
【産業上の利用可能性】
【００２５】
しかして、本考案の玩具ガス銃に於けるガス圧低下防止装置によれば、ガスの気化熱によって温度が低下したガスタンク６を確実に加温でき、温度の低下によるガスタンク内のガス圧の低下を抑制して、楽しく遊べるようになる。
【符号の説明】
【００２６】
１      ヒーター
２      電源
３      スイッチ
４      コード
５      ハウジング
６      ガスタンク
１０    銃本体
１１    銃床
１２    スイッチ孔
１５    銃本体
１６    フレーム
１７    グリップ
１８    刳り貫き孔
【図１】
0003160655.tif 000003
【図２】
0003160655.tif 000004
【図３】
0003160655.tif 000005
【図４】
0003160655.tif 000006
【図５】
0003160655.tif 000007
【図６】
0003160655.tif 000008
【図７】
0003160655.tif 000009